(57)【要約】      （修正有）【課題】遺骨や遺品等を違和感又は抵抗感がないように佛壇や床の間など身近におくことができる納骨容器を提供する。【解決手段】上面に開口部を有し、内部に遺骨又は遺品を収納する空間を有する台座４と、礼拝対象となる彫像を具備した彫像型納骨容器において、台座４の上面の開口部と、彫像部１の底蓋部２の形状が互いに特定の方向になったとき嵌合可能となるよう構成されている彫像型納骨容器である。台座内に収納される遺骨容器７の上蓋８に設けられた凸起９は彫像部１の底蓋部２に設けられた凹部３に嵌入するよう構成されている。【選択図】図１
0003149580.tif 000002
【実用新案登録請求の範囲】
【請求項１】
上面に開口部を有し、内部に遺骨又は遺品を収納する上蓋を有する遺骨容器本体を有する台座と、礼拝対象となる彫像を具備した彫像部からなる彫像型納骨容器において、台座の上面の開口部と、彫像部の底蓋部の形状が互いに特定の方向になったとき嵌合可能となるよう構成されていることを特徴とする彫像型納骨容器。
【請求項２】
台座内部に収納される遺骨又は遺品を収めた遺骨容器本体の上蓋に凸起を設け、この凸起が彫像部の底蓋部に設けられた凹部に嵌入するよう構成されていることを特徴とする請求項１記載の彫像型納骨容器。
【請求項３】
遺骨容器本体の内側の底面は、外側から中心に向って下方に傾斜しており、遺骨容器本体の上蓋の内側の底面は、外側から中心に向って上方に傾斜していることを特徴とする請求項１又は２記載の彫像型納骨容器。
【請求項４】
彫像部及び台座が石材又は陶磁器であることを特徴とする請求項１ないし３のいずれか１項記載の彫像型納骨容器。
【請求項５】
石材が御影石であることを特徴とする請求項１ないし４のいずれか１項記載の彫像型納骨容器。
【考案の詳細な説明】
【技術分野】
【０００１】
本考案は遺骨又は遺品等を収納するとともに、礼拝対象となる彫像を具備した彫像型納骨容器に関する。
【背景技術】
【０００２】
上面開口部を有する納骨部が設けられた台座と、該台座の納骨開口部が閉蓋される底蓋部が設けられた仏像体を含む構成を特徴とする仏像型骨つぼが開示されている（例えば、特許文献１参照。）。
【０００３】
また、仏像等の礼拝部分を台座に取付けるとともに、礼拝部分又は台座部分に遺骨等を収容する収容空間を設け、収容空間内を真空状態とすることを特徴とする遺品収納容器が開示されている（例えば、特許文献２参照。）。
【先行技術文献】
【特許文献】
【０００４】
【特許文献１】特開平９−１５４８９９号公報
【特許文献２】実開平７−２７５５４号公報
【考案の概要】
【考案が解決しようとする課題】
【０００５】
特許文献１の発明では、台座の上面開口部に、仏像体底面の底蓋部が嵌め込まれているだけであって、地震その他の震動によって台座から仏像体がはずれて転倒したりするおそれがあることや、仏像体の向きと台座の向きがずれたりするおそれがあった。
【０００６】
特許文献２の考案では、仏像を含む礼拝部分と台座部分は台に螺着され、しかも内部を真空にするため接続部分はシールされているため、仏像を含む礼拝部分が台座からはずれたり、転倒したりするおそれはない。しかし収容している遺骨を分骨しようとしたり、中野遺品等を追加したり変更したりすると礼拝部分と台座を分解するのに手間がかかるという欠点があった。本考案は、以上の課題を解決するためになされたものである。
【課題を解決するための手段】
【０００７】
本考案は、仏像等を含む礼拝対象となる彫像部と、彫像部を載置するとともに遺骨又は遺品を収納する台座との結合部分を改良し、安定して、しかも使い易い彫像型納骨容器を提供するものであり、以下その手段を述べることとする。
【０００８】
本考案の第１は、上面に開口部を有し、内部に遺骨又は遺品を収納する空間に上蓋を有する納骨容器本体を有する台座と、礼拝対象となる彫像を具備した彫像部からなる彫像型納骨容器において、台座の上面の開口部と彫像部の底蓋部の形状が互いに特定の方向になったとき、開口部と底蓋部が相互に嵌合可能となるよう構成されていることを特徴とする彫像型納骨容器である。
【０００９】
彫像部と台座が互いに特定の方向に向いたときのみ嵌合可能とすることで、彫像部と台座がそれぞれ正確に正面を向いたときのみ嵌合可能とすることで常に正確に組立てることができる。また、このようにすることで、彫像部と台座との嵌合を確実にし、彫像部が台座から外れないようにすることができる。
【００１０】
本考案の第２は、台座内部に収納される遺骨又は遺品を収めた遺骨容器本体の上蓋に凸起を設け、この凸起が彫像部の底蓋部に設けられた凹部に嵌入するよう構成されていることを特徴とする本考案第１に記載された考案である。遺骨等を収めた遺骨容器の位置を安定させるためである。
【００１１】
本考案の第３は、遺骨容器本体の内側の底面は外側から中心に向って下方に傾斜しており、遺骨容器本体の上蓋の底面は、外側から中心に向って上方に傾斜していることを特徴とする本考案の第１ないし第３に記載されたいずれかの考案である。遺骨が容器の中でうすくちらばった様になるのを防ぎ、容器の中心に盛高く集ったようにし外観を整えるためである。
【００１２】
本考案の第４は、彫像部及び台座が石材又は陶磁器であることを特徴とする前記第１又は第３のいずれかに記載された考案である。耐久性があり、堅牢であって、礼拝対象としてふさわしいからである。
【００１３】
本考案の第５は、石材が御影石であることを特徴とする前記第１ないし第４のいずれか１項に記載の考案である。
【考案の効果】
【００１４】
本考案により、仏像や観音像、地蔵像、キリスト像、マリア像等の彫像を礼拝部分とし、遺骨又は遺品等を収納した台座とを容易にしかも正確、確実に結合又は分離ができ、彫像部分と台座との結合体が安定した状態の彫像型納骨容器が提供できる。普通の骨つぼなどを仏壇や床の間に置くことは、違和感又は抵抗感があるが、本考案は、これらの違和感、抵抗感を解消し、身近な生活空間に遺骨等を置いて故人を常時偲ぶことができる。
【００１５】
また、なかなかお墓参りに行けないときでも、自宅で先祖や大切な故人のお墓参りをすることができる。また、形見別けや分骨の場合でも適切に対応できる利点があり、遺骨以外にも故人の遺品等も収容でき、折にふれて故人の遺品を取り出して故人を偲ぶこともできる。
【図面の簡単な説明】
【００１６】
【図１】本考案の彫像型納骨容器の一例での縦断正面図である。
【図２Ａ】本考案に係る彫像型納骨容器の彫像部の斜視図である。
【図２Ｂ】本考案の彫像部の底蓋部の裏面斜視図である。
【図３Ａ】本考案の遺骨容器の上蓋の斜視図である。
【図３Ｂ】本考案の遺骨容器の本体の斜視図である。
【図４】本考案の彫像型納骨容器の台座の斜視図である。
【考案を実施するための形態】
【００１７】
本考案の実施例を図に基づいて説明する。
【実施例１】
【００１８】
図１は、本考案の彫像型納骨容器の一例での縦断正面図である。彫像部１が立設され、彫像部１の下部の底蓋部２は台座４の上面の開口部５に嵌入されている。また、底蓋部の中心の凹み３には、遺骨容器上蓋８の凸起が嵌入されている。
【００１９】
台座４の内部の空間６には遺骨容器本体７が収容されており、遺骨容器本体の上蓋の中心上面に凸起８がある。また、遺骨容器本体７の内側底面は外側から中心に向って低く傾斜しており、遺骨容器上蓋８の底面は中心高と、外側が低くなっており、中に収められた遺骨の外観を整えるようになっている。
【００２０】
図２Ａは、彫像部の一例を示した。図では観音像を示したが、阿弥陀佛等の佛像やマリア像、キリスト像等、それぞれの信仰の対象となる彫像を用いることができる。
図２Ｂは、底蓋部の裏面斜視図である、本図では略楕円形を示したが、必ずしもこれに限定するものでなく、真円以外の変形した形状をとるようにする。
図３Ａは、遺骨容器の上蓋、図３Ｂは、遺骨容器本体のそれぞれの斜視図である。
図４は、台座の斜視図である。彫像部１の底蓋部２が異形となっている場合はそれに対応して開口部の形状は異なった形状になる。
【符号の説明】
【００２１】
１  彫像部
２  底蓋部
３  凹み
４  台座
５  開口部
６  空間
７  遺骨容器本体
８  遺骨容器上蓋
９  凸起
【図１】
0003149580.tif 000003
【図２Ａ】
0003149580.tif 000004
【図２Ｂ】
0003149580.tif 000005
【図３Ａ】
0003149580.tif 000006
【図３Ｂ】
0003149580.tif 000007
【図４】
0003149580.tif 000008